(57)【要約】【課題】テレビジョンシステムにおいて、テレビが有するＥＰＧ機能を利便性よく使用できるようにする。【解決手段】テレビジョンシステム１は、相互に通信可能であるテレビ２と携帯端末３とで成る。テレビ２は、固定受信機向けのテレビ番組を受像し、携帯電話３は、移動体向けのテレビ番組を受像する。操作部３７のテレビ用ＥＰＧ表示ボタン３７ｂがユーザによって押下されると、ＣＰＵ３９は、テレビ２に対して、メモリ２３に記憶された第１の番組表データを要求する番組表データ要求指令を送信する。送受信部２７が携帯電話３から番組表データ要求指令を受信すると、テレビ２のＣＰＵ２８は、メモリ２３に記憶された第１の番組表データを携帯電話３に送信する。送受信部３８がテレビ２から第１の番組表データを受信すると、携帯電話３のＣＰＵ３９は、受信した第１の番組表データに基づいて、テレビ用ＥＰＧ画面を作成してディスプレイ３４に表示させる。【選択図】図２
2009272901.tif 000002
【特許請求の範囲】
【請求項１】
相互に通信可能であるテレビジョン受像機と携帯端末とを含み、
前記テレビジョン受像機は、
放送局から送出される複数のセグメントで成るデジタル放送信号を受信する受信手段と、
前記受信手段によって受信されたデジタル放送信号を復号する復号手段と、
前記復号手段による復号化データに含まれる第１の番組表データを記憶する記憶手段と、
前記記憶手段に記憶された第１の番組表データに基づいて、少なくともＥＰＧ（Electronic Program Guide）画面及び、当該ＥＰＧ画面中にある番組名のテレビ番組を表示する表示手段と、
前記テレビジョン受像機の各部を制御するテレビジョン制御手段とを備え、
前記携帯端末は、
放送局から送出される１つのセグメントで成るデジタル放送信号を受信する携帯受信手段と、
前記携帯受信手段によって受信されたデジタル放送信号を復号する携帯復号手段と、
前記携帯復号手段による復号化データに含まれる第２の番組表データを記憶する携帯記憶手段と、
前記携帯記憶手段に記憶された第２の番組表データに基づいて、少なくともＥＰＧ画面及び、当該ＥＰＧ画面中にある番組名のテレビ番組を表示する携帯表示手段と、
ユーザによって操作され、前記携帯端末における各種操作を行うための携帯操作手段と、
前記携帯端末の各部を制御する携帯制御手段とを備えるテレビジョンシステムにおいて、
前記携帯制御手段は、
ユーザが前記携帯操作手段を用いて所定の操作を行うと、前記テレビジョン受像機に対して、前記記憶手段に記憶された第１の番組表データを要求する番組表データ要求指令を送信し、
前記テレビジョン制御手段は、
前記携帯端末から前記番組表データ要求指令を受信したとき、前記記憶手段に記憶された第１の番組表データを前記携帯端末に送信し、
前記携帯制御手段は、
前記テレビジョン受像機から送信される第１の番組表データを受信したとき、当該第１の番組表データに基づいて、前記テレビジョン受像機の表示手段に表示されるＥＰＧ画面と同一内容のテレビ用ＥＰＧ画面を前記携帯表示手段に表示させることを特徴とするテレビジョンシステム。
【請求項２】
前記携帯制御手段は、
ユーザが前記携帯操作手段を用いて、前記携帯表示手段に表示されたテレビ用ＥＰＧ画面の中から所定の番組名を選択すると、前記テレビジョン受像機に対して、ユーザによって選択された番組名のテレビ番組を前記表示手段に表示するように指示するテレビ番組表示指令を送信することを特徴とする請求項１に記載のテレビジョンシステム。
【請求項３】
前記テレビジョン制御手段は、
前記携帯端末から前記テレビ番組表示指令を受信したとき、当該指令の内容に基づくテレビ番組の放送が開始されているか否かの判断を行い、
上記放送が開始されている場合、前記テレビ番組表示指令の内容に基づくテレビ番組を直ちに前記表示手段に表示させ、
上記放送が開始されていない場合、前記テレビ番組表示指令の内容に基づくテレビ番組の視聴予約を行うことを特徴とする請求項２に記載のテレビジョンシステム。
【発明の詳細な説明】
【技術分野】
【０００１】
本発明は、固定受信機向け地上波デジタル放送のテレビ番組を受像するテレビジョン受像機と、移動体向け地上波デジタル放送のテレビ番組を受像する携帯端末とを含むテレビジョンシステムに関する。
【背景技術】
【０００２】
近年、上述のようなテレビジョン受像機（以下、テレビという）と携帯端末とが相互に通信可能とされ、ユーザが携帯端末に表示されたテレビ番組を参照しながら当該携帯端末を用いてテレビを遠隔操作できるようにしたものが提案されている。テレビジョン受像機は、固定受信機向けの番組表データに基づいたＥＰＧ（Electronic Program Guide）画面を表示することが可能であり、携帯端末は、移動体向けの番組表データに基づいたＥＰＧ画面を表示することが可能である。
【０００３】
ここで、特許文献１には、テレビリモコンに移動体向けのテレビ番組を受像する機能を設けて、簡単なリモコン操作により、テレビリモコンに表示されているテレビ番組と同一内容の固定受信機向けのテレビ番組をテレビに表示させるようにしたものが開示されている。また、特許文献２には、上記機能を有したテレビリモコンに、テレビに表示されているテレビ番組と同一内容の移動体向けのテレビ番組を表示させるようにしたものが開示されている。しかしながら、上記特許文献１及び２に記載される技術では、固定受信機向けの番組表データに基づいたＥＰＧ画面はテレビにしか表示されず、ユーザにとって利便性に劣ることがある。
【０００４】
なお、テレビに固定受信機向けのテレビ番組と移動体向けのテレビ番組とを同時に表示する技術としては、特許文献３がある。しかしながら、このような発明では、テレビと携帯端末が併設された環境における上記問題を解消することができない。
【特許文献１】特開２００７−３０６３６６号公報
【特許文献２】特開２００４−１２８７７５号公報
【特許文献３】特開２００６−４１９８２号公報
【発明の開示】
【発明が解決しようとする課題】
【０００５】
本発明は、上記問題を解決するためになされたものであり、テレビが有するＥＰＧ機能を利便性よく使用できるテレビジョンシステムを提供することを目的とする。
【課題を解決するための手段】
【０００６】
上記目的を達成するために請求項１の発明は、相互に通信可能であるテレビジョン受像機と携帯端末とを含み、前記テレビジョン受像機は、放送局から送出される複数のセグメントで成るデジタル放送信号を受信する受信手段と、前記受信手段によって受信されたデジタル放送信号を復号する復号手段と、前記復号手段による復号化データに含まれる第１の番組表データを記憶する記憶手段と、前記記憶手段に記憶された第１の番組表データに基づいて、少なくともＥＰＧ（Electronic Program Guide）画面及び、当該ＥＰＧ画面中にある番組名のテレビ番組を表示する表示手段と、前記テレビジョン受像機の各部を制御するテレビジョン制御手段とを備え、前記携帯端末は、放送局から送出される１つのセグメントで成るデジタル放送信号を受信する携帯受信手段と、前記携帯受信手段によって受信されたデジタル放送信号を復号する携帯復号手段と、前記携帯復号手段による復号化データに含まれる第２の番組表データを記憶する携帯記憶手段と、前記携帯記憶手段に記憶された第２の番組表データに基づいて、少なくともＥＰＧ画面及び、当該ＥＰＧ画面中にある番組名のテレビ番組を表示する携帯表示手段と、ユーザによって操作され、前記携帯端末における各種操作を行うための携帯操作手段と、前記携帯端末の各部を制御する携帯制御手段とを備えるテレビジョンシステムにおいて、前記携帯制御手段は、ユーザが前記携帯操作手段を用いて所定の操作を行うと、前記テレビジョン受像機に対して、前記記憶手段に記憶された第１の番組表データを要求する番組表データ要求指令を送信し、前記テレビジョン制御手段は、前記携帯端末から前記番組表データ要求指令を受信したとき、前記記憶手段に記憶された第１の番組表データを前記携帯端末に送信し、前記携帯制御手段は、前記テレビジョン受像機から送信される第１の番組表データを受信したとき、当該第１の番組表データに基づいて、前記テレビジョン受像機の表示手段に表示されるＥＰＧ画面と同一内容のテレビ用ＥＰＧ画面を前記携帯表示手段に表示させるものである。
【０００７】
請求項２の発明は、請求項１に記載の発明において、前記携帯制御手段は、ユーザが前記携帯操作手段を用いて、前記携帯表示手段に表示されたテレビ用ＥＰＧ画面の中から所定の番組名を選択すると、前記テレビジョン受像機に対して、ユーザによって選択された番組名のテレビ番組を前記表示手段に表示するように指示するテレビ番組表示指令を送信するものである。
【０００８】
請求項３の発明は、請求項２に記載の発明において、前記テレビジョン制御手段は、前記携帯端末から前記テレビ番組表示指令を受信したとき、当該指令の内容に基づくテレビ番組の放送が開始されているか否かの判断を行い、上記放送が開始されている場合、前記テレビ番組表示指令の内容に基づくテレビ番組を直ちに前記表示手段に表示させ、上記放送が開始されていない場合、前記テレビ番組表示指令の内容に基づくテレビ番組の視聴予約を行うものである。
【発明の効果】
【０００９】
請求項１の発明によれば、ユーザが携帯操作手段を用いて所定の操作を行うと、テレビジョン受像機の表示手段に表示されるＥＰＧ画面と同一内容のテレビ用ＥＰＧ画面が携帯表示手段に表示されるので、テレビが有するＥＰＧ機能の利便性が向上する。このとき、ユーザは、第２の番組表データに基づいたＥＰＧ画面からでは取得することができないテレビ番組情報、具体的には、携帯受信手段によって受信不能なチャンネルのテレビ番組情報やより未来のテレビ番組情報等を携帯端末から取得できることとなる。
【００１０】
請求項２の発明によれば、ユーザが携帯操作手段を用いて、携帯表示手段に表示されたテレビ用ＥＰＧ画面の中から所定の番組名を選択すると、選択された番組名のテレビ番組を表示手段に表示するように指示するテレビ番組表示指令が送信される。これにより、ユーザはテレビジョン受像機の表示手段で所望のテレビ番組を視聴することできるようになるので、テレビが有するＥＰＧ機能の利便性が一層向上する。
【００１１】
請求項３の発明によれば、テレビ番組表示指令の内容に基づくテレビ番組の放送が開始されている場合、当該テレビ番組が直ちに表示手段に表示され、上記放送が開始されていない場合、当該テレビ番組の視聴予約が行なわれるので、請求項２と同様の効果を的確に得ることができる。
【発明を実施するための最良の形態】
【００１２】
本発明の一実施形態に係るテレビジョンシステムについて図面を参照して説明する。図１は本実施形態に係るテレビジョンシステム（以下、本システムという）１の概略構成を示し、図２は本システム１の各部の内部構成を示す。本システム１は、相互に通信可能であるテレビ（テレビジョン受像機）２と携帯電話（携帯端末）３とで構成され、テレビ２と携帯電話３は、同一のホームネットワークに接続されて無線による通信を行なっている。無線通信の規格としては、例えば、BluetoothやIrDA等が挙げられる。テレビ２は、固定受信機向け地上波デジタル放送のテレビ番組を受像するものであり、携帯電話３は、電話元来の通話／通信機能に加えて、移動体向け地上波デジタル放送、いわゆるワンセグ放送のテレビ番組を受像する機能を有している。
【００１３】
テレビ２は、放送局から送出される複数のセグメントで成るデジタル放送信号を受信するチューナ（受信手段）２１と、チューナ２１によって受信されたデジタル放送信号を復号する復調器（復号手段）２２と、各種データを記憶するメモリ（記憶手段）２３とを備える。また、テレビ２は、復調器２２による復号化データに含まれる映像信号に基づく映像等を表示するディスプレイ（表示手段）２４と、復調器２２による復号化データに含まれる音声信号に基づく音声を表示するスピーカ２５と、ユーザによって操作され、本機器における各種操作を行うための操作部２６と、携帯電話３と各種データの送受信を行なう送受信部２７と、本機器の各部を制御するＣＰＵ（テレビジョン制御手段）２８とを備える。
【００１４】
メモリ２３には、復調器２２による復号化データに含まれる第１の番組表データが記憶される。メモリ２３に記憶される第１の番組表データとは、チューナ２１が受信可能な全ての放送チャンネルについてのＳＩ（Service Information）データである。このＳＩデータには、テレビ番組の放送開始時間や放送終了時間、種類、タイトル、あらすじ、主な出演者等を示す情報が含まれている。ディスプレイ２４には、具体的に、メモリ２３に記憶された第１の番組表データに基づいて、ＥＰＧ（Electronic Program Guide）画面や、当該ＥＰＧ画面中にある番組名のテレビ番組等が表示される。操作部２６には、第１の番組表データに基づいたＥＰＧ画面をディスプレイ２４に表示させるためのＥＰＧ表示ボタン２６ａ等が設けられている。
【００１５】
ＣＰＵ２８は、操作部２６のＥＰＧ表示ボタン２６ａがユーザによって押下されると、第１の番組表データに基づいたＥＰＧ画面を作成してディスプレイ２４に表示する機能を有する。ＣＰＵ２８は、携帯電話３から後述する番組表データ要求指令を受信したとき、メモリ２３に記憶された第１の番組表データを送受信部２７から携帯電話３に送信する。また、ＣＰＵ２８は、携帯電話３から後述するテレビ番組表示指令を受信したとき、当該指令の内容に基づくテレビ番組の放送が開始されているか否かの判断を行い、この判断結果に応じて、当該テレビ番組の表示又は視聴予約を行う。
【００１６】
携帯電話３は、放送局から送出される１つのセグメントで成るデジタル放送信号を受信するワンセグチューナ（携帯受信手段）３１と、ワンセグチューナ３１によって受信されたデジタル放送信号を復号する復調器（携帯復号手段）３２と、各種データを記憶するメモリ（携帯記憶手段）３３とを備える。また、携帯電話３は、復調器３２による復号化データに含まれる映像信号に基づく映像等を表示するディスプレイ（携帯表示手段）３４と、復調器３２による復号化データに含まれる音声信号に基づく音声を表示するスピーカ３５と、通話における音声を入力するためのマイク３６と、ユーザによって操作され、本機器における各種操作を行うための操作部（携帯操作手段）３７と、テレビ２と各種データの送受信を行なう送受信部３８と、本機器の各部を制御するＣＰＵ（携帯制御手段）３９とを備える。
【００１７】
メモリ３３には、復調器３２による復号化データに含まれる第２の番組表データが記憶される。メモリ３３に記憶される第２の番組表データとは、ワンセグチューナ３１が受信可能な全ての放送チャンネルについてのＳＩデータである。ディスプレイ３４には、具体的に、メモリ３３に記憶された第２の番組表データに基づいて、ＥＰＧ画面や当該ＥＰＧ画面中にある番組名のテレビ番組、さらにはテレビ２のディスプレイ２４に表示される第１の番組表データに基づいたＥＰＧ画面と同一内容のテレビ用ＥＰＧ画面等が表示される。操作部３７には、第２の番組表データに基づいたＥＰＧ画面をディスプレイ３４に表示させるためのＥＰＧ表示ボタン３７ａや、上記テレビ用ＥＰＧ画面をディスプレイ３４に表示させるためのテレビ用ＥＰＧ表示ボタン３７ｂ、各種選択操作を行うための選択キー３７ｃ等が設けられている。
【００１８】
ＣＰＵ３９は、操作部３７のＥＰＧ表示ボタン３７ａがユーザによって押下されると、第２の番組表データに基づいたＥＰＧ画面を作成してディスプレイ３４に表示する機能を有する。ＣＰＵ３９は、操作部３７のテレビ用ＥＰＧ表示ボタン３７ｂがユーザによって押下されると、テレビ２に対して、メモリ２３に記憶された第１の番組表データを要求する番組表データ要求指令を送受信部３８から送信する。また、ＣＰＵ３９は、テレビ２から送信される第１の番組表データに基づいて、テレビ用ＥＰＧ画面を作成してディスプレイ３４に表示させる。テレビ用ＥＰＧ画面の作成に際しては、第２の番組表データに基づいたＥＰＧ画面に使用される表示フォーマットが参照される。また、ＣＰＵ３９は、ユーザが選択キー３７ｃを用いて、ディスプレイ３４に表示されたテレビ用ＥＰＧ画面中から所定の番組名を選択すると、テレビ２に対して、選択された番組名のテレビ番組をディスプレイ２４に表示するように指示するテレビ番組表示指令を送受信部３８から送信する。
【００１９】
次に、本システム１において、テレビ用ＥＰＧ画面を携帯電話３のディスプレイ３４に表示し、テレビ用ＥＰＧ画面により所定のテレビ番組をテレビ２のディスプレイ２４に表示する動作について説明する。図３は、上記動作の手順を時系列的に示す。操作部３７のテレビ用ＥＰＧ表示ボタン３７ｂがユーザによって押下されると（Ｓ１０１）、携帯電話３のＣＰＵ３９は、テレビ２に対して、メモリ２３に記憶された第１の番組表データを要求する番組表データ要求指令を送受信部３８から送信する（Ｓ１０２）。テレビ２の送受信部２７が携帯電話３から番組表データ要求指令を受信すると（Ｓ１０３）、テレビ２のＣＰＵ２８は、メモリ２３に記憶された第１の番組表データを送受信部２７から携帯電話３に送信する（Ｓ１０４）。携帯電話３の送受信部３８がテレビ２から第１の番組表データを受信すると（Ｓ１０５）、携帯電話３のＣＰＵ３９は、受信した第１の番組表データに基づいて、テレビ用ＥＰＧ画面を作成してディスプレイ３４に表示させる（Ｓ１０６）。
【００２０】
テレビ用ＥＰＧ画面がディスプレイ３４に表示された状態において、ユーザが操作部３７の選択キー３７ｃを用いて、テレビ用ＥＰＧ画面の中から所定の番組名を選択すると（Ｓ１０７）、携帯電話３のＣＰＵ３９は、テレビ２に対して、選択された番組名のテレビ番組をディスプレイ２４に表示するように指示するテレビ番組表示指令を送受信部３８から送信する（Ｓ１０８）。このとき、ユーザは所定の番組名を複数選択することが可能であり、ユーザが番組名を選択する度に上記テレビ番組表示指令が送信される。このテレビ番組表示指令には、テレビ番組の放送開始時間や放送終了時間、放送チャンネル等の情報が含まれる。テレビ２の送受信部２７が携帯電話３からテレビ番組表示指令を受信すると（Ｓ１０９）、テレビ２のＣＰＵ２８は、当該指令の内容に基づくテレビ番組の放送が開始されているか否かの判断を行う（Ｓ１１０）。上記放送が開始されている場合（Ｓ１１１でＹＥＳ）、テレビ２のＣＰＵ２８は、テレビ番組表示指令の内容に基づくテレビ番組を直ちにディスプレイ２４に表示させる（Ｓ１１２）。一方で上記放送が開始されていない場合（Ｓ１１１でＮＯ）、テレビ２のＣＰＵ２８は、テレビ番組表示指令の内容に基づくテレビ番組の視聴予約を行う（Ｓ１１３）。
【００２１】
以上、本実施形態に係るテレビジョンシステム１によれば、操作部３７のテレビ用ＥＰＧ表示ボタン３７ｂがユーザによって押下されると、テレビ２のディスプレイ２４に表示されるＥＰＧ画面と同一内容のテレビ用ＥＰＧ画面が携帯電話３のディスプレイ３４に表示されるので、テレビ２が有するＥＰＧ機能の利便性が向上する。このとき、ユーザは、第２の番組表データに基づいたＥＰＧ画面からでは取得することができないテレビ番組情報、具体的には、ワンセグチューナ３１によって受信不能なチャンネルのテレビ番組情報やより未来のテレビ番組情報等を携帯電話３から取得できることとなる。また、携帯電話３のディスプレイ３４に表示されたテレビ用ＥＰＧ画面の中から所定の番組名がユーザによって選択されると、選択された番組名のテレビ番組をテレビ２のディスプレイ２４に表示するように指示するテレビ番組表示指令が送信される。これにより、ユーザはテレビ２のディスプレイ２４で所望のテレビ番組を視聴することできるようになるので、テレビ２が有するＥＰＧ機能の利便性が一層向上する。
【００２２】
なお、本発明は、上記実施形態の構成に限られず、発明の趣旨を変更しない範囲で種々の変形が可能である。例えば、上記実施形態では、テレビ２と通信可能な携帯端末として携帯電話３を例示したが、これに限られず、当該端末はワンセグチューナ３１を内蔵したポータブルゲーム機であってもよい。また、テレビ２にレコーダ機能を設けて、テレビ番組表示指令の内容に基づく番組名のテレビ番組の放送が開始されていないときに、当該テレビ番組の録画を行うようにしたものであってもよい。
【図面の簡単な説明】
【００２３】
【図１】本発明の一実施形態に係るテレビジョンシステムを示す概念図。
【図２】上記テレビジョンシステムのテレビ及び携帯電話を示すブロック図。
【図３】上記テレビジョンシステムにおいてテレビ用ＥＰＧ画面に関する動作を示すフローチャート。
【符号の説明】
【００２４】
１  テレビジョンシステム
２  テレビ（テレビジョン受像機）
３  携帯電話（携帯端末）
２１  チューナ（受信手段）
２２  復調器（復号手段）
２３  メモリ（記憶手段）
２４  ディスプレイ（表示手段）
２８  ＣＰＵ（テレビジョン制御手段）
３１  ワンセグチューナ（携帯受信手段）
３２  復調器（携帯復号手段）
３３  メモリ（携帯記憶手段）
３４  ディスプレイ（携帯表示手段）
３７  操作部（携帯操作手段）
３９  ＣＰＵ（携帯制御手段）
【図１】
2009272901.tif 000003
【図２】
2009272901.tif 000004
【図３】
2009272901.tif 000005